(57)【特許請求の範囲】
【請求項１】
鉛直方向の取付面に開口部を形成し、この開口部の少なくとも下側開口縁より下方に広い内空部を有する凹溝が設けられた構造体にオプション部材を取り付けるためのオプション部材の取付構造であって、
前記オプション部材に設けられる下向き凸部と、
第１基部の一端側の基端面に下向き係止爪を設けると共に、前記第１基部にその上面に開口部を配した支持凹部を一体的に設けた支持基材と、
第２基部の一端側の基端面から水平方向に張り出す突出面を有する突出片を設けると共に、前記第２基部において平面視で前記突出片の突出方向に直交する延在方向で前記突出片の両端部より内側の位置に上下方向を向く挿通孔を有する抜止め部材と、
を備え、
前記支持基材の下向き係止爪を前記凹溝の下側開口縁に係止させた状態で、前記第１基部の上面と前記凹溝の上側開口縁との間に前記抜止め部材の突出片を介在させ、
前記支持基材の支持凹部と前記抜止め部材の挿通孔とを同軸に配置すると共に、前記抜止め部材の基端面を前記取付面に対して、又は前記突出片の突出面を前記凹溝の底面に対して近接、或いは当接させ、
この状態で、前記支持凹部及び前記挿通孔に前記下向き凸部を嵌合させたことを特徴とするオプション部材の取付構造。
【請求項２】
前記第１基部の上面は、前記基端面に対向する前方側から前記基端面側へ向うにしたがって漸次下方に傾斜していることを特徴とする請求項１に記載のオプション部材の取付構造。
【請求項３】
少なくとも、前記抜止め部材の挿通孔が円孔、もしくは前記下向き凸部の断面形状が円形をなしていることによって、前記オプション部材を前記抜止め部材に対して回動可能としたことを特徴とする請求項１又は２に記載のオプション部材の取付構造。
【請求項４】
前記下向き凸部には、上下方向で下端より上方位置に拡径段部が設けられ、
該拡径段部の下面が前記抜止め部材の基部上面に当接されていることを特徴とする請求項１乃至３のいずれか１項に記載のオプション部材の取付構造。
【請求項５】
前記支持基材には、前記基端面に上向き係止爪が設けられ、該上向き係止爪が前記凹溝の上側開口縁に係止されていることを特徴とする請求項１乃至４のいずれか１項に記載のオプション部材の取付構造。  
【発明の詳細な説明】
【技術分野】
【０００１】
本発明は、オフィスや家庭等の執務空間にて使用される什器にオプション部材を取り付けるためのオプション部材の取付構造に関する。
【背景技術】
【０００２】
従来、オフィスや家庭等の執務空間にて使用される什器等の構造体にオプション部材等の別の物品を固定する際には、構造体の取付面に物品を接着する方法や、取付面に穿設したねじ孔に、物品に穿設した通し孔を介して取付ネジを螺合させることによって、物品を取付面に螺合する方法が採用されるのが一般的となっている（例えば、特許文献１参照）。
ただし、これらの構造においては、構造的な特徴からオプション部材の取り付け、取り外しを容易に行うことができないため、オプション部材を着脱する頻度が高い場合には適していなかった。
【０００３】
また、構造体に係止孔を設けておき、オプション部材に設けた下向き係止爪を係止孔下縁に係止することによって、構造体にオプション部材を取り付ける方法も一般的である。この方法によれば、簡易的な作業で構造体にオプション部材を取り付け、取り外しすることが出来るが、逆に係止爪と係止孔との係合が外れてしまえば、オプション部材が構造体から脱落してしまうおそれがあり、これらは用途が限られた構造になっていた。
これに対して、係止爪と係止孔上縁との間に抜け止め片を挿入することによって、構造体に取り付けたオプション部材の脱落を防止する方法が、例えば特許文献２に開示されている。
【先行技術文献】
【特許文献】
【０００４】
【特許文献１】特開２００６−２０４７０５号公報
【特許文献２】特開２００１−００８７４８号公報
【発明の概要】
【発明が解決しようとする課題】
【０００５】
しかしながら、特許文献２のような従来のオプション部材の取付構造では、抜け止め片を固定手段を介してオプション部材に固定しているため、オプション部材の取り付け、取り外しの作業性が悪くなってしまうという問題を有していた。
【０００６】
本発明は、上述する問題点に鑑みてなされたもので、構造体に対して容易に取り付け、取り外しを行うことができるオプション部材の取付構造を提供することを目的とする。
【課題を解決するための手段】
【０００７】
上記目的を達成するため、本発明に係るオプション部材の取付構造では、鉛直方向の取付面に開口部を形成し、この開口部の少なくとも下側開口縁より下方に広い内空部を有する凹溝が設けられた構造体にオプション部材を取り付けるためのオプション部材の取付構造であって、オプション部材に設けられる下向き凸部と、第１基部の一端側の基端面に下向き係止爪を設けると共に、第１基部にその上面に開口部を配した支持凹部を一体的に設けた支持基材と、第２基部の一端側の基端面から水平方向に張り出す突出面を有する突出片を設けると共に、第２基部において平面視で突出片の突出方向に直交する延在方向で突出片の両端部より内側の位置に上下方向を向く挿通孔を有する抜止め部材とを備え、支持基材の下向き係止爪を凹溝の下側開口縁に係止させた状態で、第１基部の上面と凹溝の上側開口縁との間に抜止め部材の突出片を介在させ、支持基材の支持凹部と抜止め部材の挿通孔とを同軸に配置すると共に、抜止め部材の基端面を取付面に対して、又は突出片の突出面を凹溝の底面に対して近接、或いは当接させ、この状態で、支持凹部及び挿通孔に下向き凸部を嵌合させたことを特徴としている。
【０００８】
本発明では、支持基材の下向き係止爪を凹溝の下側開口縁に係止させ、この状態において第１基部の上面と凹溝の上側開口縁との間に抜止め部材の突出片を介在させ、支持基材の支持凹部と抜止め部材の挿通孔とを同軸に配置し、さらに抜止め部材の基端面を取付面に対して、又は突出片の突出面を凹溝の底面に対して近接、或いは当接させ、この状態で、同軸に配置される支持凹部及び挿通孔に下向き凸部を嵌合させることで、オプション部材を構造物に取り付けることができる。
【０００９】
このとき、支持基材は、構造体の凹溝において、第１基部の上面が凹溝の上側開口縁との間に抜止め部材の突出片が介在されることにより位置決めされることになる。そして、抜止め部材は、その基端面、又は突出片の突出面が構造体側の面（取付面又は凹溝の底面）に対して面で近接、或いは当接するので、前後左右の水平方向への移動が規制される。さらに、第２基部において平面視で突出片の突出方向に直交する延在方向で突出片の両端部より内側の位置で挿通孔に下向き凸部が嵌合しているので、抜止め部材は上下方向への移動も規制され、これにより支持基材に対して抜止め部材が外れるのが防止されることになる。つまり、支持基材、抜止め部材、および下向き凸部が互いに係合して凹溝に取り付けられている状態にあっては、支持部材が抜止め部材と下向き凸部とによってロックされた状態となり、支持基材の凹溝からの脱落を防ぐことができる。
【００１０】
また、本発明に係るオプション部材の取付構造では、第１基部の上面は、基端面に対向する前方側から基端面側へ向うにしたがって漸次下方に傾斜していることが好ましい。
【００１１】
本発明では、支持基材の下向き係止爪は凹溝の下側開口縁に係止されており、取り付け作業中であって、とくに支持基材に抜止め部材を重ね合わせたのみの状態において、抜止め部材を第１基部の傾斜面に沿って構造体側に押し付ける力が働くため、支持基材と抜止め部材との取付位置がずれるのを防止することができ、組み立て時の作業性を向上させることができる。
【００１２】
また、本発明に係るオプション部材の取付構造では、少なくとも、抜止め部材の挿通孔が円孔、もしくは下向き凸部の断面形状が円形をなしていることによって、オプション部材を抜止め部材に対して回動可能としたことが好ましい。
【００１３】
この場合には、オプション部材を取り付けた状態において、オプション部材自体を抜止め部材の挿通孔周りに回転可能に支持することができる。
【００１４】
また、本発明に係るオプション部材の取付構造では、下向き凸部には、上下方向で下端より上方位置に拡径段部が設けられ、拡径段部の下面が抜止め部材の基部上面に当接されていることがより好ましい。
【００１５】
本発明では、拡径段部の下面を抜止め部材の第２基部の上面に当接させることで、抜止め部材の上方への移動が規制されるので、抜止め部材の脱落を確実に防止することができ、オプション部材をより安定的に取り付けることができる。
【００１６】
また、本発明に係るオプション部材の取付構造では、支持基材には、基端面に上向き係止爪が設けられ、上向き係止爪が凹溝の上側開口縁に係止されていることが好ましい。
【００１７】
この場合には、上向き係止爪が凹溝の上側開口縁に支持されるため、下向き凸部が支持凹部に嵌合された状態でオプション部材の重量により支持基材の支持凹部側に荷重がかかっても、そのオプション部材の重みにより支持基材の支持凹部側が前下がりに傾くのを防止することができ、オプション部材をより安定的に取り付けることができる。
また、第１基部のみを取付面に取り付けた場合においても、上向き係止爪が抜止めとして機能することによって、第１基部が取付面から脱落してしまうおそれが無く、取付作業時における作業性を良好にすることができる。
【発明の効果】
【００１８】
本発明のオプション部材の取付構造によれば、支持基材、抜止め部材、および下向き凸部にはボルト等の螺合部材を用いることのない簡単な構造により脱落のない支持構造を実現することができ、構造体に対する取り付け、取り外しが容易となり、また製造コストを低減することが可能となる効果を奏する。
【図面の簡単な説明】
【００１９】
【図１】本発明の実施の形態による照明器具の取付構造の一例を示す斜視図である。
【図２】図１に示す照明器具の取付構造の側断面図である。
【図３】クランプ部材の全体構成を示す斜視図である。
【図４】図３に示すクランプ部材の分解斜視図である。
【図５】支持基材と抜止め部材とを嵌合させた状態を示す斜視図である。
【図６】支持基材と抜止め部材とを嵌合させた状態を示す上面図である。
【図７】支持基材と抜止め部材とを嵌合させた状態を示す側面図である。
【図８】図６に示すＡ−Ａ線断面図である。
【図９】図６に示すＢ−Ｂ線断面図である。
【図１０】支持基材の全体構成を示す斜視図である。
【図１１】支持基材の全体構成を示す上面図である。
【図１２】抜止め部材の全体構成を示す斜め下方から見た斜視図である。
【図１３】抜止め部材の全体構成を示す下面図である。
【図１４】図１３に示すＣ−Ｃ線断面図である。
【図１５】支持基材を凹溝に取り付ける状態を示す側断面図である。
【図１６】支持基材と抜止め部材とを凹溝に取り付けた状態を示す側断面図である。
【発明を実施するための形態】
【００２０】
以下、本発明の実施の形態によるオプション部材の取付構造について、図面に基づいて説明する。
【００２１】
図１および図２に示す本実施の形態によるクランプ部材１（オプション部材の取付構造）は、オフィスや家庭等の執務空間にて作業面の照度を確保するために使用される照明器具２（オプション部材）をデスク３（構造体）に支持させて固定するためのものである。
照明器具２は、本実施の形態ではタスクライト装置であり、作業面を有するデスク３に取り付けられるクランプ部材１を介して回動可能もしくは角度変更可能に延ばされたアーム２Ａと、このアーム２Ａの先端部から連設された照明部２Ｂとを備えた一般的な構造のものであり、ここでは詳しい説明は省略する。
【００２２】
ここで、デスク３は、作業面の前面に仕切り壁３１を有するとともに、この仕切り壁３１の上縁に沿って延びる凹溝４が配置された構成となっている。この凹溝４は、鉛直方向の仕切り壁３１（取付面）に開口部を形成し、この開口部の上側開口縁４ａより上方に、且つ下側開口縁４ｂより下方に広い内空部を有している。
【００２３】
図３および図４に示すように、クランプ部材１は、照明器具２のアーム２Ａに設けられるピン部材５（下向き凸部）と、デスク３の凹溝４に支持する支持基材１０と、この支持基材１０の凹溝４に対する抜けを防止する抜止め部材２０とからなり、支持基材１０と抜止め部材２０とが互いに上下方向に係合する構成となっている。
つまり、デスク３の凹溝４に支持基材１０と抜止め部材２０とを係合させた状態でクランプ部材１が固定され、このクランプ部材１に対してアーム２Ａに設けたピン部材５を嵌入させることで、照明機器２がデスク３に支持されることになる。
【００２４】
ピン部材５は、そのピン軸線を上下方向に向けた状態で、オプション部材である照明器具２が適正な位置で用いられることになる。
【００２５】
図４乃至図１１に示すように、支持基材１０は、平面視で三角平板状の基部１１（第１基部）と、この基部１１の３つの辺部１１Ａ、１１Ｂ、１１Ｃのうちの１つ（第１辺部１１Ａ）の基端面１１ａに設けられた下向き係止爪１２及び上向き係止爪１３と、基部１１に一体的に設けられ上面１１ｂに開口部を配して下面から下方に向けて突出する有底筒状部１４（支持凹部）とを備えて概略構成されている。
ここで、平面視で、下向き係止爪１２及び上向き係止爪１３が設けられる第１辺部（基端面１１ａ）の辺方向Ｙに直交する方向を前後方向Ｘといい、その前後方向Ｘにおいて係止爪１２、１３側を後方側、有底筒状部１４側（第１辺部１１Ａを除く二辺１１Ｂ、１１Ｃの頂部側）を前方側という。
【００２６】
基部１１の上面１１ｂは、仕切り壁３１に対する取り付け状態において、前方から後方へ向かうにしたがって漸次下方に傾斜している。そして、基部１１は、基端面１１ａが位置する第１辺部１１Ａを除く二辺（第２辺部１１Ｂ、第３辺部１１Ｃ）の外周縁に沿って上面１１ｂより下がる段差部１１ｃが形成され、さらに有底筒状部１４の開口縁部に沿って全周にわたって上方に向けて突出する第１環状凸壁部１１ｄを有している。
【００２７】
下向き係止爪１２および上向き係止爪１３は、基部１１の基端面１１ａから後方側へ張り出した連設部１５の後端側に設けられ、基端面１１ａにおける辺方向Ｙに沿って設けられている。そのため、下向き係止爪１２と後端面１１ａとの間には、第１辺部の辺方向Ｙに延び下方に開口する溝状部が形成されている。上向き係止爪１３は、その前方側に基端面１１ａの面方向に平行な前向き面１３ａを形成している。
【００２８】
有底筒状部１４は、基部１１の前方側の頂部近傍に位置し、軸線方向Ｏを上下方向に向けて、仕切り壁３１に対する取り付け状態の基部１１に対して一体的に設けられている。さらに具体的に有底筒状部１４は、平面視で第１辺部１１Ａの辺方向Ｙで下向き係止爪１２の両端部より内側の位置、ここででは第１辺部１１Ａの長さ方向中心を通る線上の位置に設けられている。
【００２９】
図１２乃至図１４に示すように、抜止め部材２０は、平面視で支持基材１０に対応する三角形状をなす有頂筒状に形成され、天壁部２１（第２基部）の外周縁から下方に向けて伸びる周壁部２２が設けられている。この周壁部２２が支持基材１０の段差部１１ｃに係合することとなる。この係合状態で、支持基材１０の第１辺部１１Ａと重なる周壁部２２が面方向を上下方向に向けた基端面２２ａを形成している。
この基端面２２ａには、その下端縁から後方に向けて張り出す突出片２３が辺方向Ｙに沿って設けられている。この突出片２３の先端には、面方向を上下方向に向けた突出面２３ａを有している。
【００３０】
また、天壁部２１の前方側の頂部付近には、平面視で第１辺部２１Ａの辺方向Ｙ（突出片２３の突出方向に直交する延在方向）で突出片２３の両端部より内側の位置、ここででは第１辺部２１Ａの長さ方向中心を通る線上の位置に上下方向に貫通する円形の挿通孔２４が設けられている。この挿通孔２４は、抜止め部材２０が支持基材１０に係合した状態で有底筒状部１４と同軸に配置されるようになっている。
さらに、天壁部２１には、下面２１ｂより下方に向けて突出するとともに、挿通孔２４に同軸で支持基材１０の第１環状凸壁部１１ｄの外周側に係合する第２環状凸壁部２５が設けられている。
【００３１】
次に、上述したクランプ部材１を仕切り壁３１の凹溝４に取り付ける方法と、クランプ部材１の作用について、図面に基づいて詳細に説明する。
図１５に示すように、先ず支持基材１０を凹溝４に配置させるが、このとき上向き係止爪１３からデスク３の凹溝４内に進入させつつ、下向き係止爪１２も凹溝４内に配置された状態で、下向き係止爪１２を凹溝４の下側開口縁４ｂに係止させる。
【００３２】
続いて、図１６に示すように、この状態において基部１１の上面１１ｂと凹溝４の上側開口縁４ａとの間に抜止め部材２０の突出片２３を介在させ、支持基材１０の有底筒状部１４と抜止め部材２０の挿通孔２４とを同軸に配置し、さらに抜止め部材２０の基端面２２ａを取付面をなす仕切り壁３１に対して、又は突出片２３の突出面２３ａを凹溝４の底面４ｃ（図１６では上向き係止爪１３の前向き面１３ａ）に対して近接、或いは当接させる。このとき、抜止め部材２０の周壁部２２を支持基材１０の段差部１１ｃに係合させ、さらに抜止め部材２０の第２環状凸壁部２５を支持基材１０の第１環状凸壁部１１ｄに係合させるようにする。
そして、この状態で、同軸に配置される有底筒状部１４及び挿通孔２４に図２および図４に示すピン部材５を嵌合させることで、オプション部材である照明器具２（図１）をデスク３に取り付けることができる。
【００３３】
このようにして取り付けられるクランプ部材１では、支持基材１０がデスク３の凹溝４において基部１１の上面１１ｂが凹溝４の上側開口縁４ａとの間に抜止め部材２０の突出片２３が介在されることにより位置決めされることになる。
そして、抜止め部材２０は、その基端面２２ａ、又は突出片２３の突出面２３ａが仕切り壁３１又は凹溝４の底面４ｃ（上向き係止爪１３の前向き面１３ａ）に対して面で近接、或いは当接するので、前後左右の水平方向への移動が規制される。さらに、天壁部２１において平面視で突出片２３の突出方向に直交する延在方向（第１辺部２１Ａの辺方向Ｙ）で突出片２３の両端部より内側の位置で挿通孔２４にピン部材５が嵌合しているので、抜止め部材２０は上下方向への移動も規制され、これにより支持基材１０に対して抜止め部材２０が外れるのが防止されることになる。
つまり、支持基材１０、抜止め部材２０、およびピン部材５が互いに係合して凹溝４に取り付けられている状態にあっては、支持部材１０が抜止め部材２０とピン部材５とによってロックされた状態となり、支持基材１０の凹溝４からの脱落を防ぐことができる。
【００３４】
また、支持基材１０の基部１１の上面１１ｂが前方側から後方側へ向うにしたがって漸次下方に傾斜しており、支持基材１０の下向き係止爪１２は凹溝４の下側開口縁４ｂに係止されているので、取り付け作業中であって、とくに支持基材１０に抜止め部材２０を重ね合わせたのみの状態において、抜止め部材２０を基部１１の傾斜面に沿って構造体側（デスク３側）に押し付ける力が働くため、支持基材１０と抜止め部材２０との取付位置がずれるのを防止することができ、組み立て時の作業性を向上させることができる。
【００３５】
また、抜止め部材２０の挿通孔２４が円孔をなし、ピン部材５の断面形状が円形をなしているので、照明器具２を取り付けた状態において、その照明器具２自体を抜止め部材２０の挿通孔２４周りに回転可能に支持することができる。
【００３６】
さらに、支持基材１０に上向き係止爪１３が設けられ、その上向き係止爪１３が凹溝４の上側開口縁４ａに係止されているので、この場合には、上向き係止爪１３が凹溝４の上側開口縁４ａに支持されるため、ピン部材５が有底筒状部１４に嵌合された状態で照明器具２の重量により支持基材１０の有底筒状部１４側に荷重がかかっても、その照明器具２の重みにより支持基材１０の有底筒状部１４側が前下がりに傾くのを防止することができ、照明器具２をより安定的に取り付けることができる。
また、支持機材１０の基部１１のみを仕切り壁３１（凹溝４）に取り付けた場合においても、上向き係止爪１３が抜止めとして機能することによって、基部１１が仕切り壁３１から脱落してしまうおそれが無く、取付作業時における作業性を良好にすることができる。
【００３７】
上述のように本実施の形態によるオプション部材の取付構造では、支持基材１０、抜止め部材２０、およびピン部材５にはボルト等の螺合部材を用いることのない簡単な構造により脱落のない支持構造を実現することができ、デスク３に対する取り付け、取り外しが容易となり、また製造コストを低減することが可能となる効果を奏する。
【００３８】
以上、本発明によるオプション部材の取付構造の実施の形態について説明したが、本発明は上記の実施の形態に限定されるものではなく、その趣旨を逸脱しない範囲で適宜変更可能である。
例えば、本実施の形態では支持基材１０の基部１１および抜止め部材２０の天壁部２１を平面視で略三角形状としているが、この形状に限定されることはなく、例えば平面視四角形状であっても良い。要は、取付面に当接可能な基端面を１辺に有する形状であって、基端面より前方側に位置する有底筒状部１４や挿通孔２４が基端面の辺方向の両端の内側となる位置に配置されていればよいのである。
【００３９】
また、ピン部材５の外周面に上下方向で下端より上方位置に拡径段部を設け、その拡径段部の下面が抜止め部材２０の天壁部２１の上面２１ａに当接される構成とすることも可能である。この場合、抜止め部材２０の上方への移動が規制されるので、抜止め部材２０の脱落を確実に防止することができ、照明器具２などのオプション部材をより安定的に取り付けることができる。
【００４０】
また、本実施の形態では、クランプ部材１の支持対象の構造体としてデスク３を採用し、デスク３の仕切り壁３１に設けられる凹溝４を対象としているが、これに限定されることはない。要は、適用する構造体として、鉛直方向の取付面に開口部を形成し、この開口部の少なくとも下側開口縁より下方に広い内空部を有する凹溝が設けられていれば良いのである。
【００４１】
さらに、本実施の形態では抜止め部材２０の基端面２２ａを仕切り壁３１に対して近接、或いは当接させるとともに、突出片２３の突出面２３ａを凹溝４の底面４ｃ（上向き係止爪１３の前向き面１３ａ）に対して近接、或いは当接させた構成としているが、いずれか一方の面（基端面１１ａ又は突出面２３ａ）のみを近接、或いは当接させる構成とすることも可能である。
さらにまた、本実施の形態のように支持基材１０の基部１１の上面１１ｂに前方から後方に下る斜面を形成しない形態、すなわち水平面とする構成であっても良い。
【００４２】
また、支持基材１０の上向き係止爪１３を省略することも可能である。そして、有底筒状部１４や挿通孔２４、およびピン部材５の断面形状も円形であることに限定されず、角形のものでも良い。例えば、本実施の形態では抜止め部材２０の挿通孔２４が円孔をなすと共に、ピン部材５の断面形状が円形となる構成としているが、これに限らず、挿通孔２４およびピン部材５のいずれか一方のみが円形状であってもかまわない。つまり、ピン部材５が断面角形である場合には、挿通孔２４側の円孔の内径寸法はピン部材５が回動可能な寸法とすれば良い。また挿通孔２４の断面形状が角状である場合には、その角状断面がピン部材５の円孔より大きい形状であれば良い。
その他、本発明の趣旨を逸脱しない範囲で、上記した実施の形態における構成要素を周知の構成要素に置き換えることは適宜可能である。
【符号の説明】
【００４３】
１  クランプ部材（オプション部材の取付構造）
２  照明器具（オプション部材）
３  デスク（構造体）
４  凹溝
４ａ  上側開口縁
４ｂ  下側開口縁
５  ピン部材（下向き凸部）
１０  支持基材
１１  基部（第１基部）
１１ａ  基端面
１１ｂ  上面
１１ｄ  第１環状凸壁部
１２  下向き係止爪
１３  上向き係止爪
１４  有底筒状体（支持凹部）
２０  抜止め部材
２１  天壁部（第２基部）
２２  周壁部
２２ａ  基端面
２３  突出片
２３ａ  突出面
２４  挿通孔
２５  第２環状凸壁部
３１  仕切り壁（取付面）
【図１】
0005557702.tif 000002
【図２】
0005557702.tif 000003
【図３】
0005557702.tif 000004
【図４】
0005557702.tif 000005
【図５】
0005557702.tif 000006
【図６】
0005557702.tif 000007
【図７】
0005557702.tif 000008
【図８】
0005557702.tif 000009
【図９】
0005557702.tif 000010
【図１０】
0005557702.tif 000011
【図１１】
0005557702.tif 000012
【図１２】
0005557702.tif 000013
【図１３】
0005557702.tif 000014
【図１４】
0005557702.tif 000015
【図１５】
0005557702.tif 000016
【図１６】
0005557702.tif 000017